(57)【要約】【課題】パンチの取出し操作性がよいカセットパンチ装置を実現する。【解決手段】パンチ２を本体１０のポケット１２内に着脱させるパンチ着脱機構３として、パンチ２の着脱移動を案内する進退移動可能なイジェクトバー３２と、イジェクトバー３２をパンチ脱出方向へ付勢するバネ部材３３と、イジェクトバーガイド機構３６とで構成する。  そして、イジェクトバーガイド機構３６は、ハートカム溝３４と、カムフォロアとなるガイドピン３５とを有し、ポケット１２へのパンチ２の着脱をプッシュ−プッシュ式に行うように構成する。【選択図】図３
0003118089.tif 000002
【実用新案登録請求の範囲】
【請求項１】
クラフトブッキング等のため紙類や布類等のシート物に各種の装飾孔又はエンボス模様を施す雄型及び雌型を備えたパンチをカセット式に着脱自在にした装置であって、
パンチ挿入用開口部に連続形成されてパンチを装填可能とする収容空間を有するポケットを設けた本体と、本体に揺動可能に軸支されて手で握るとポケット内に装填されたパンチの雄型を押し込むように揺動するてこ式の操作レバーと、パンチをポケット内に着脱させるパンチ着脱機構とを備えたカセットパンチ装置において、
上記パンチ着脱機構は、
ポケットに装填するパンチの後部に先端部が当接されるようにポケットの奥部に配置され、且つパンチの着脱操作に応じてパンチの着脱方向に沿って進退移動可能に設けられてパンチの着脱移動を案内するイジェクトバーと、
イジェクトバーをパンチ脱出方向へ付勢するバネ部材と、
パンチ装填時には、パンチ挿入用開口部からパンチを挿入すると、イジェクトバーは、バネ部材の付勢力に抗してパンチの後部に押されて後退し、操作レバーによってパンチの雄型が押し込み可能となるパンチ装填位置でロックされ、一方、パンチ取出し時には、パンチ挿入用開口部からパンチを押し込むと、イジェクトバーは、バネ部材の付勢力に抗してパンチの後部に押されて後退してロックが解除され、続いてパンチの押し込み力を開放すると、イジェクトバーがバネ部材の付勢力によって前進してパンチの後部を押しポケットのパンチ挿入用開口部からパンチの一部を突出させるようにするイジェクトバーガイド機構とを備えたことを特徴とするカセットパンチ装置。
【請求項２】
請求項１に記載のカセットパンチ装置において、
上記イジェクトバーガイド機構は、ハートカム溝と、カムフォロアとなるガイドピンとを有し、
パンチ装填時にパンチとともにイジェクトバーが押されて後退されると、ハートカム溝内のガイドピンは、イジェクトバーの前進限位置に対応する第１の位置からイジェクトバーの後退限位置に対応する第２の位置に移動し、続いてパンチの押し込み力が開放されると、イジェクトバーを後退限位置から少し前進したパンチ装填位置でロックする第３の位置に移動して係止され、一方、パンチ取出し時にパンチとともにイジェクトバーが押されると、ハートカム溝内のガイドピンは、第３の位置からイジェクトバーの後退限位置に対応する第４の位置に移動してガイドピンの係止が解除され、続いてパンチの押し込み力が開放されると、第４の位置からイジェクトバーの前進限位置に対応する第１の位置に復帰移動するように構成したことを特徴とするカセットパンチ装置。
【請求項３】
請求項１又は２に記載のカセットパンチ装置において、
上記イジェクトバーの先端部にはパンチの後部に設けた鉄片にマグネット吸着してパンチを保持するマグネット吸着部が設けられていることを特徴とするカセットパンチ装置。
【請求項４】
クラフトブッキング等のため紙類や布類等のシート物に各種の装飾孔又はエンボス模様を施す雄型及び雌型を備えたパンチをカセット式に着脱自在にした装置であって、パンチ挿入用開口部に連続形成されてパンチを装填可能とする収容空間を有するポケットを設けた本体と、本体に揺動可能に軸支されて手で握るとポケット内に装填されたパンチの雄型を押し込むように揺動するてこ式の操作レバーと、パンチをポケット内に着脱させるパンチ着脱機構とを備えたカセットパンチ装置において、
上記パンチ着脱機構は、
ポケットに装填するパンチの後部に先端部が当接されるようにポケットの奥部に配置され、且つパンチの着脱操作に応じてパンチの着脱方向に沿って進退移動可能に設けられてパンチの着脱移動を案内するイジェクトバーと、
イジェクトバーをパンチ脱出方向へ付勢するバネ部材と、
バネ部材の付勢力に抗してポケット内に装填したパンチを操作レバーによってパンチの雄型が押し込み可能となるパンチ装填位置で保持する保持手段と、
保持手段によるパンチの保持を解除するロック解除手段とを備えたことを特徴とするカセットパンチ装置。
【考案の詳細な説明】
【技術分野】
【０００１】
本考案は、クラフトブッキング等のため紙類や布類等のシート物に各種の装飾孔又はエンボス模様を施す雄型及び雌型を備えたパンチをカセット式に着脱自在にしたカセットパンチ装置に関するものである。
【背景技術】
【０００２】
この種のカセットパンチ装置としては、実用新案登録第３１０６３６号公報に記載のものが知られている。
図６に示すように、このカセットパンチ装置１００は、本体６１０にパンチ２を装填するポケット６１２を設ける共にこのパンチ２を押し込むための操作レバー６１３を揺動可能に設けたものであり、そして、上記パンチ２を上記ポケット６１２から取り外すときは、ポケット６１２の下部に設けられたＬ型断面の取出レバー６２４の先端部６２４ａを指先に引っ掛けてこの取出レバー６２４を下方に回動させる。
すると、取出レバー６２４の後方起立板６２４ｂでパンチ２が前方に押し出されて本体６１０から突出するので、この突出状態のパンチ２を指で摘んでポケット６１２から取出すようにする。
【考案の開示】
【考案が解決しようとする課題】
【０００３】
ところで、上記取出レバー６２４は、本体６１０からパンチ２が簡単に脱落しないように、本来的に開放され難く形成されている。
すなわち、取出レバー６２４の先端部６２４ａは、本体６１０から突出されないように形成されて取出レバー６２４が不用意に回動しないようになっており、そのため、先端部６２４ａにおいては指先の引っ掛かりが少なく引っ掛け難くなっている。
しかも、取出レバー６２４は、不用意に回動されないように本体６１０に対して比較的固く保持されており、また、パンチ２もポケット６１２から簡単に脱落しないようにポケット６１２内で比較的強固に保持されている。
そのため、取出レバー６２４によってポケット６１２内のパンチ２を前方へ押し出すのには指先に比較的大きな力をかけて取出レバー６２４を回動させる必要があり、パンチ２を取出すには不便で、操作性がよくなかった。
本考案は、上記事情に鑑みてなされたものであり、パンチの取出し操作性がよいカセットパンチ装置を実現することを課題とする。
【課題を解決するための手段】
【０００４】
（１）本考案に係るカセットパンチ装置は、
クラフトブッキング等のため紙類や布類等のシート物に各種の装飾孔又はエンボス模様を施す雄型及び雌型を備えたパンチをカセット式に着脱自在にした装置であって、
パンチ挿入用開口部に連続形成されてパンチを装填可能とする収容空間を有するポケットを設けた本体と、本体に揺動可能に軸支されて手で握るとポケット内に装填されたパンチの雄型を押し込むように揺動するてこ式の操作レバーと、パンチをポケット内に着脱させるパンチ着脱機構とを備えたカセットパンチ装置において、
上記パンチ着脱機構は、
ポケットに装填するパンチの後部に先端部が当接されるようにポケットの奥部に配置され、且つパンチの着脱操作に応じてパンチの着脱方向に沿って進退移動可能に設けられてパンチの着脱移動を案内するイジェクトバーと、
イジェクトバーをパンチ脱出方向へ付勢するバネ部材と、
パンチ装填時には、パンチ挿入用開口部からパンチを挿入すると、イジェクトバーは、バネ部材の付勢力に抗してパンチの後部に押されて後退し、操作レバーによってパンチの雄型が押し込み可能となるパンチ装填位置でロックされ、一方、パンチ取出し時には、パンチ挿入用開口部からパンチを押し込むと、イジェクトバーは、バネ部材の付勢力に抗してパンチの後部に押されて後退してロックが解除され、続いてパンチの押し込み力を開放すると、イジェクトバーがバネ部材の付勢力によって前進してパンチの後部を押しポケットのパンチ挿入用開口部からパンチの一部を突出させるようにするイジェクトバーガイド機構とを備えたことを特徴とするものである（請求項１）。
これにより、ポケットへのパンチの着脱をいわゆるプッシュ−プッシュ式に行える。従って、比較的軽い力での操作によってパンチの着脱を簡単に行うことができる。
【０００５】
（２）上記イジェクトバーガイド機構は、ハートカム溝と、カムフォロアとなるガイドピンとを有し、
パンチ装填時にパンチとともにイジェクトバーが押されて後退されると、ハートカム溝内のガイドピンは、イジェクトバーの前進限位置に対応する第１の位置からイジェクトバーの後退限位置に対応する第２の位置に移動し、続いてパンチの押し込み力が開放されると、イジェクトバーを後退限位置から少し前進したパンチ装填位置でロックする第３の位置に移動して係止され、一方、パンチ取出し時にパンチとともにイジェクトバーが押されると、ハートカム溝内のガイドピンは、第３の位置からイジェクトバーの後退限位置に対応する第４の位置に移動してガイドピンの係止が解除され、続いてパンチの押し込み力が開放されると、第４の位置からイジェクトバーの前進限位置に対応する第１の位置に復帰移動するように構成することができる（請求項２）。
これにより、ポケットへのパンチの着脱をいわゆるプッシュ−プッシュ式に行えるパンチ着脱機構を簡易に構成することができる。
【０００６】
（３）上記イジェクトバーの先端部にはパンチの後部に設けた鉄片にマグネット吸着してパンチを保持するマグネット吸着部が設けられていてもよい（請求項３）。
これにより、パンチをポケット内に簡単且つ確実に保持することができる。
【０００７】
（４）また、本考案に係るカセットパンチ装置は、
クラフトブッキング等のため紙類や布類等のシート物に各種の装飾孔又はエンボス模様を施す雄型及び雌型を備えたパンチをカセット式に着脱自在にした装置であって、パンチ挿入用開口部に連続形成されてパンチを装填可能とする収容空間を有するポケットを設けた本体と、本体に揺動可能に軸支されて手で握るとポケット内に装填されたパンチの雄型を押し込むように揺動するてこ式の操作レバーと、パンチをポケット内に着脱させるパンチ着脱機構とを備えたカセットパンチ装置において、
パンチ着脱機構は、
ポケットに装填するパンチの後部に先端部が当接されるようにポケットの奥部に配置され、且つパンチの着脱操作に応じてパンチの着脱方向に沿って進退移動可能に設けられてパンチの着脱移動を案内するイジェクトバーと、
イジェクトバーをパンチ脱出方向へ付勢するバネ部材と、
バネ部材の付勢力に抗してポケット内に装填したパンチを操作レバーによってパンチの雄型が押し込み可能となるパンチ装填位置で保持する保持手段と、
保持手段によるパンチの保持を解除するロック解除手段とを備えたことを特徴とするものである（請求項４）。
【０００８】
これにより、パンチをポケットに装着する際は、パンチに押されてイジェクトバーが後退し、パンチがポケット内のパンチ装填位置に達すると保持手段によってバネ部材の付勢力に抗してパンチを保持する。
一方、パンチをポケットから取出す際は、ロック解除手段を操作して保持手段によるパンチの保持が解除されると、バネ部材で付勢されたイジェクトバーによってパンチが押し出されてパンチ挿入用開口部からその一部を突出させる。
従って、パンチの装着及び取出しの操作が軽い力で非常に簡単に行える。
【考案の効果】
【０００９】
本考案によれば、ポケットへのパンチの着脱を比較的軽い力の操作で行うことができ、パンチの装着及び取出しの操作が非常に簡単に行える。
【考案を実施するための最良の形態】
【００１０】
以下に、本考案の実施形態について添付図面を参照しながら説明する。
図１、図２に示すように、実施の形態によるカセットパンチ装置１は、クラフトブッキング等のため紙類や布類等のシート物Ｓに各種の装飾孔又はエンボス模様を施す雄型２１及び雌型２２を備えたパンチ２をカセット式に着脱自在にしたものであって、本体１０には、パンチ２を挿入するパンチ挿入用開口部１１と、パンチ挿入用開口部１１に連続形成されてパンチ２を装填可能とする収容空間を有したポケット１２と、手で握るとポケット１２内に装填されたパンチ２の雄型２１を押し込むように揺動するてこ式の操作レバー１３と、パンチ２をポケット１２内に着脱させるパンチ２着脱機構３とを備える。
【００１１】
本体１０のパンチ挿入用開口部１１は、本体１０の前部表面に矩形状に開設され、矩形ブロック状のパンチ２が挿入できる形状及び大きさに設定されている。
ポケット１２の両側壁には、シート物Ｓを差込可能とするためパンチ挿入用開口部１１側から切り込まれたスリット１２１が形成されている。
また、ポケット１２の上下位置には、パンチ２をガイドすると共に操作レバー１３で押えられたときのパンチ２の姿勢を保持するための支持部１４ａ，１４ｂが形成されている。
そして、この下側の支持部１４ｂは、ポケット１２の底壁を構成し、この下側支持部１４ｂには、本体１０底面の排出孔１５に通じる筒状のカス落下穴１４０が設けられている。
【００１２】
上記ポケット１２に装填するパンチ２は、図１、図４を参照して、シート物Ｓを差込めるように前面から後面近傍まで切り込まれた差込スリット２３が形成されている。
パンチ２内には、図４に示すように、雌型２２と雄型２１とが設けられている。
雄型２１は、下端に刃先２１１が形成され、上端をパンチ２の上部から露出させた押し込み部２４とする。
また、雄型２１には、フランジ２５が突設されており、雄型２１のこのフランジ２５と雌型２２との間には、雄型２１を上方へ付勢するバネ２６が介装されている。  
一方、雌型２２は、シート物Ｓを差込めるようにコ字状に形成されると共に、雄型２１の刃先２１１が挿抜される型穴２２１が貫通形成されている。雄型２１の刃先２１１形状と雌型２２の型穴２２１形状は、各パンチ２ごとに例えばハート形、星形、文字、数字、記号等の各種の形状に形成されている。
そして、パンチ２の前面には、そのパンチ２で打抜ける装飾孔と同一形状のマークＭが表示されている（図１参照）。
また、パンチ２の後部にはマグネット吸着可能な鉄片２７が設けられている。
【００１３】
操作レバー１３は、図２に示すように、長手方向の中央部から若干前寄りに設けられた支軸１３１によって本体１０に対して揺動可能に軸支されている。
この操作レバー１３の後部は、本体１０から露出された握り部１３２を構成し、また、操作レバー１３の先端は、パンチ２の上部から雄型２１を押し込めるように下方に向けて突設した先端突部１３３を構成する。
また、操作レバー１３には、支軸１３１の後部にキックバネ１６が取り付けられており、このキックバネ１６の一端を本体１０の上壁と当接させて握り部１３２を下方へ付勢させている。
【００１４】
そして、このカセットパンチ装置１によってシート物Ｓに装飾孔を形成するときは、図２（ａ）に示すように、シート物Ｓをスリット１２１に差し込み、この状態で操作レバー１３の握り部１３２を握ると、図２（ｂ）に示すように、操作レバー１３の先端突部１３３で雄型２１の押し込み部２４が押し下げられる。
すると、パンチ２の雄型２１及び雌型２２によってシート物Ｓが打抜かれ、シート物Ｓに所望の装飾模様の装飾孔が形成される。
尚、抜きカスＳ’を台紙等や装飾対象面に貼付してこれを装飾することもできる。
【００１５】
一方、図３、図４に示すように、パンチ着脱機構３は、パンチ２を収容するポケット１２の後方において本体１０の側壁にねじ止めで固定されたハウジング３１と、このハウジング３１内に進退移動可能に設けられてパンチ２の着脱移動を案内するイジェクトバー３２と、イジェクトバー３２をパンチ脱出方向へ付勢するバネ部材３３と、イジェクトバー３２の移動を規制するイジェクトバーガイド機構３６とを備える。
【００１６】
イジェクトバー３２は、ポケット１２に装填するパンチ２の後部に先端部が当接され、パンチ２の着脱操作に応じてパンチ２の着脱方向に沿って進退移動可能となっている。
イジェクトバー３２の先端部には、このイジェクトバー３２に埋設されたマグネットＭＧによって磁気を帯びたマグネット吸着部３２１が設けられており、このマグネット吸着部３２１がパンチ２の後部に設けた鉄片２７をマグネット吸着するように構成されている。
これにより、パンチ２をポケット１２内に簡単且つ確実に保持することができる。
【００１７】
そして、イジェクトバーガイド機構３６は、イジェクトバー３２を次のように制御する。
図３に示すように、パンチ装填時は、パンチ挿入用開口部１１からパンチ２を挿入すると（図３（ａ））、イジェクトバー３２は、バネ部材３３の付勢力に抗してパンチ２の後部に押されて後退し（図３（ｂ））、続いてパンチ２の押し込み力が開放されると、操作レバー１３によってパンチ２の雄型２１を押し込み可能とするパンチ２装填位置（図２（ａ）の状態）でロックされる（図３（ｃ））。
一方、パンチ取出し時は、パンチ挿入用開口部１１からパンチ２を押し込むと、イジェクトバー３２は、上記と逆の動作をし、バネ部材３３の付勢力に抗してパンチ２の後部に押されて後退してロックが解除され（図３（ｂ））、続いてパンチ２の押し込み力を開放すると、イジェクトバー３２がバネ部材３３の付勢力によって前進してパンチ２の後部を押しポケット１２のパンチ挿入用開口部１１からパンチ２の一部を突出させる（図３（ａ））。
【００１８】
すなわち、イジェクトバー３２ガイド機構は、図４に示すように、イジェクトバー３２に形成されたハートカム溝３４と、一端がハウジング３１に取り付けられると共に他端がハートカム溝３４に嵌め込まれてカムフォロアとなるガイドピン３５とで構成される。
そして、ハートカム溝３４内におけるガイドピン３５の他端は、パンチ装填時に、パンチ２とともにイジェクトバー３２が押されて後退されると、イジェクトバー３２の前進限位置（図３（ａ）の状態）に対応する第１の位置ａからイジェクトバー３２の後退限位置（図３（ｂ）の状態）に対応する第２の位置ｂに移動し、続いてパンチ２の押し込み力が開放されると、イジェクトバー３２を後退限位置から少し前進したパンチ装填位置（図３（ｃ）の状態）でロックする第３の位置ｃに移動して係止される。
一方、パンチ取出し時に、上記パンチ装填位置（図３（ｃ）の状態）からパンチ２とともにイジェクトバー３２が押されると、ハートカム溝３４内におけるガイドピン３５の他端は、第３の位置ｃからイジェクトバー３２の後退限位置（図３（ｂ）の状態）に対応する第４の位置ｄに移動してガイドピン３５の係止が解除され、続いてパンチ２の押し込み力が開放されると、第４の位置ｄからイジェクトバー３２の前進限位置（図３（ａ）の状態）に対応する第１の位置ａに復帰移動する。
【００１９】
このように、ポケット１２へのパンチ２の着脱をいわゆるプッシュ−プッシュ式に行えるので、パンチ２の装着及び取出しの操作が軽い力で非常に簡単に行える。
【００２０】
また、本体１０前面におけるポケット１２近傍には、パンチ２を押し込むことでポケット１２にパンチ２を着脱できることを明示する「ｐｕｓｈ」等の表示部Ｈが設けられている。
これにより、ポケット１２へのパンチ２の着脱をプッシュ−プッシュ式に行うことが一目瞭然となり、パンチ２の着脱を誤解なく行えるようになる。
【００２１】
なお、上記イジェクトバーガイド機構３６としては、上記とは逆に、ハウジング３１側にハートカム溝３４を形成し、イジェクトバー３２にガイドピン３５の一端を取り付けるようにしてもよい。
また、上記イジェクトバー３２の先端部にはパンチ２を保持するマグネット吸着部３２１を設けるが、これに代えて、ポケット１２においてパンチ２を保持する保持部（例えば、パンチ２を挟持する突起、パンチ２を挟圧保持するバネ、パンチ２を吸着保持するマグネット等）を設けるようにしてもよい。
この場合、後部に鉄片２７を設けないパンチ２を保持するのに有利である。
【００２２】
（他の実施形態）
図５に示すように、この他の実施の形態によるカセットパンチ装置１Ｘは、パンチ着脱機構３Ｘとして、上記のものに代えて、パンチ２を収容するポケット１２の後方において本体１０の側壁にねじ止めで固定されたハウジング３１Ｘと、このハウジング３１Ｘ内に進退移動可能に設けられてパンチ２の着脱移動を案内するイジェクトバー３２Ｘと、イジェクトバー３２Ｘをパンチ脱出方向へ付勢するバネ部材３３Ｘと、バネ部材３３Ｘの付勢力に抗してポケット１２内に装填したパンチ２を操作レバー１３によってパンチ２の雄型２１が押し込み可能となるパンチ装填位置（図５（ａ）の状態）で保持するようにバネ６で付勢された保持爪４と、本体１０前面に設けられてバネ６の付勢力に抗してスライドさせると保持爪４によるパンチ２の保持を解除するロック解除レバー５とを備えたものである。
【００２３】
これにより、パンチ２をポケット１２に装着する際は、パンチ２の上部が当接されると保持爪４が上方へ退避すると共にイジェクトバー３２Ｘが後退し、パンチ２がポケット１２内のパンチ装填位置に達すると保持爪４がパンチ２の係止部（パンチ２上部の前側に設けた凹部、あるいはパンチ２の上部と前部との角部等でもよい。）に係合してバネ部材３３Ｘの付勢力に抗してパンチ２を保持する（図５（ａ））。
一方、パンチ２をポケット１２から取出す際は、ロック解除レバー５を上方へスライドさせると、バネ６の付勢力に抗して保持爪４が上方へ退避してパンチ２の保持が解除され、これにより、バネ部材３３Ｘで付勢されたイジェクトバー３２Ｘによってパンチ２が前方へ押し出されてパンチ挿入用開口部１１からその一部を突出させる。
これによっても、パンチ２の装着及び取出しの操作が非常に簡単に行える。
なお、上記保持爪４は、ロック解除レバー５の先端部に形成するものでもよく、また、後部に鉄片２７を設けた場合のパンチ２に対応して、上記イジェクトバー３２Ｘの先端部にも、上記パンチ２の鉄片２７にマグネット吸着してパンチ２を保持するマグネット吸着部（図４のマグネット吸着部３２１等）を設けてもよく、その他の構成は、上記実施の形態のものと同様に構成される。
【００２４】
なお、以上の実施の形態では、パンチ２としては、シート物Ｓを完全に打ち抜く抜き型とするが、シート物Ｓの表面に凹凸の各種のエンボス模様を施す雄型２１と雌型２２とを備えたエンボス型であってもよい。
【図面の簡単な説明】
【００２５】
【図１】本考案の実施の形態によるカセットパンチ装置１の外観を示す斜視図である。
【図２】本考案の実施の形態によるカセットパンチ装置１の内部構成を示す側面図である。
【図３】本考案の実施の形態によるカセットパンチ装置１におけるパンチ２着脱機構３の動作を示す模式図である。
【図４】パンチ２着脱機構３の内部構成を示す断面図である。
【図５】本考案の他の実施の形態によるカセットパンチ装置１におけるパンチ２着脱機構３の動作を示す模式図である。
【図６】従来のカセットパンチ装置１の内部構成を示す断面図である。
【符号の説明】
【００２６】
１  カセットパンチ装置
２  パンチ
３  パンチ着脱機構
１０  本体
１１  パンチ挿入用開口部
１２  ポケット
１３  操作レバー
３１  ハウジング
３２  イジェクトバー
３３  バネ部材
３４  ハートカム溝
３５  ガイドピン
３６  イジェクトバーガイド機構
３２１  マグネット吸着部
Ｓ  シート物
【図１】
0003118089.tif 000003
【図２】
0003118089.tif 000004
【図３】
0003118089.tif 000005
【図４】
0003118089.tif 000006
【図５】
0003118089.tif 000007
【図６】
0003118089.tif 000008
【手続補正書】
【提出日】平成17年11月21日(2005.11.21)
【手続補正１】
【補正対象書類名】実用新案登録請求の範囲
【補正対象項目名】全文
【補正方法】変更
【補正の内容】
【実用新案登録請求の範囲】
【請求項１】
クラフトブッキング等のため紙類や布類等のシート物に各種の装飾孔を施す雄型及び雌型を備えたパンチをカセット式に着脱自在にした装置であって、
パンチ挿入用開口部に連続形成されてパンチを装填可能とする収容空間を有するポケットを設けた本体と、本体に揺動可能に軸支されて手で握るとポケット内に装填されたパンチの雄型を押し込むように揺動するてこ式の操作レバーと、パンチをポケット内に着脱させるパンチ着脱機構とを備えたカセットパンチ装置において、
上記パンチ着脱機構は、
ポケットに装填するパンチの後部に先端部が当接されるようにポケットの奥部に配置され、且つパンチの着脱操作に応じてパンチの着脱方向に沿って進退移動可能に設けられてパンチの着脱移動を案内するイジェクトバーと、
イジェクトバーをパンチ脱出方向へ付勢するバネ部材と、
パンチ装填時には、パンチ挿入用開口部からパンチを挿入すると、イジェクトバーは、バネ部材の付勢力に抗してパンチの後部に押されて後退し、操作レバーによってパンチの雄型が押し込み可能となるパンチ装填位置でロックされ、一方、パンチ取出し時には、パンチ挿入用開口部からパンチを押し込むと、イジェクトバーは、バネ部材の付勢力に抗してパンチの後部に押されて後退してロックが解除され、続いてパンチの押し込み力を開放すると、イジェクトバーがバネ部材の付勢力によって前進してパンチの後部を押しポケットのパンチ挿入用開口部からパンチの一部を突出させるようにするイジェクトバーガイド機構とを備えたことを特徴とするカセットパンチ装置。
【請求項２】
クラフトブッキング等のため紙類や布類等のシート物の表面に凹凸の各種のエンボス模様を施す雄型及び雌型を備えたパンチをカセット式に着脱自在にした装置であって、
パンチ挿入用開口部に連続形成されてパンチを装填可能とする収容空間を有するポケットを設けた本体と、本体に揺動可能に軸支されて手で握るとポケット内に装填されたパンチの雄型を押し込むように揺動するてこ式の操作レバーと、パンチをポケット内に着脱させるパンチ着脱機構とを備えたカセットパンチ装置において、
上記パンチ着脱機構は、
ポケットに装填するパンチの後部に先端部が当接されるようにポケットの奥部に配置され、且つパンチの着脱操作に応じてパンチの着脱方向に沿って進退移動可能に設けられてパンチの着脱移動を案内するイジェクトバーと、
イジェクトバーをパンチ脱出方向へ付勢するバネ部材と、
パンチ装填時には、パンチ挿入用開口部からパンチを挿入すると、イジェクトバーは、バネ部材の付勢力に抗してパンチの後部に押されて後退し、操作レバーによってパンチの雄型が押し込み可能となるパンチ装填位置でロックされ、一方、パンチ取出し時には、パンチ挿入用開口部からパンチを押し込むと、イジェクトバーは、バネ部材の付勢力に抗してパンチの後部に押されて後退してロックが解除され、続いてパンチの押し込み力を開放すると、イジェクトバーがバネ部材の付勢力によって前進してパンチの後部を押しポケットのパンチ挿入用開口部からパンチの一部を突出させるようにするイジェクトバーガイド機構とを備えたことを特徴とするカセットパンチ装置。
【請求項３】
請求項１又は２に記載のカセットパンチ装置において、
上記イジェクトバーガイド機構は、ハートカム溝と、カムフォロアとなるガイドピンとを有し、
パンチ装填時にパンチとともにイジェクトバーが押されて後退されると、ハートカム溝内のガイドピンは、イジェクトバーの前進限位置に対応する第１の位置からイジェクトバーの後退限位置に対応する第２の位置に移動し、続いてパンチの押し込み力が開放されると、イジェクトバーを後退限位置から少し前進したパンチ装填位置でロックする第３の位置に移動して係止され、一方、パンチ取出し時にパンチとともにイジェクトバーが押されると、ハートカム溝内のガイドピンは、第３の位置からイジェクトバーの後退限位置に対応する第４の位置に移動してガイドピンの係止が解除され、続いてパンチの押し込み力が開放されると、第４の位置からイジェクトバーの前進限位置に対応する第１の位置に復帰移動するように構成したことを特徴とするカセットパンチ装置。
【請求項４】
請求項１乃至３のいずれかに記載のカセットパンチ装置において、
上記イジェクトバーの先端部にはパンチの後部に設けた鉄片にマグネット吸着してパンチを保持するマグネット吸着部が設けられていることを特徴とするカセットパンチ装置。
【請求項５】
クラフトブッキング等のため紙類や布類等のシート物に各種の装飾孔を施す雄型及び雌型を備えたパンチをカセット式に着脱自在にした装置であって、パンチ挿入用開口部に連続形成されてパンチを装填可能とする収容空間を有するポケットを設けた本体と、本体に揺動可能に軸支されて手で握るとポケット内に装填されたパンチの雄型を押し込むように揺動するてこ式の操作レバーと、パンチをポケット内に着脱させるパンチ着脱機構とを備えたカセットパンチ装置において、
上記パンチ着脱機構は、
ポケットに装填するパンチの後部に先端部が当接されるようにポケットの奥部に配置され、且つパンチの着脱操作に応じてパンチの着脱方向に沿って進退移動可能に設けられてパンチの着脱移動を案内するイジェクトバーと、
イジェクトバーをパンチ脱出方向へ付勢するバネ部材と、
バネ部材の付勢力に抗してポケット内に装填したパンチを操作レバーによってパンチの雄型が押し込み可能となるパンチ装填位置で保持する保持手段と、
保持手段によるパンチの保持を解除するロック解除手段とを備えたことを特徴とするカセットパンチ装置。
【請求項６】
クラフトブッキング等のため紙類や布類等のシート物の表面に凹凸の各種のエンボス模様を施す雄型及び雌型を備えたパンチをカセット式に着脱自在にした装置であって、パンチ挿入用開口部に連続形成されてパンチを装填可能とする収容空間を有するポケットを設けた本体と、本体に揺動可能に軸支されて手で握るとポケット内に装填されたパンチの雄型を押し込むように揺動するてこ式の操作レバーと、パンチをポケット内に着脱させるパンチ着脱機構とを備えたカセットパンチ装置において、
上記パンチ着脱機構は、
ポケットに装填するパンチの後部に先端部が当接されるようにポケットの奥部に配置され、且つパンチの着脱操作に応じてパンチの着脱方向に沿って進退移動可能に設けられてパンチの着脱移動を案内するイジェクトバーと、
イジェクトバーをパンチ脱出方向へ付勢するバネ部材と、
バネ部材の付勢力に抗してポケット内に装填したパンチを操作レバーによってパンチの雄型が押し込み可能となるパンチ装填位置で保持する保持手段と、
保持手段によるパンチの保持を解除するロック解除手段とを備えたことを特徴とするカセットパンチ装置。
【手続補正２】
【補正対象書類名】明細書
【補正対象項目名】０００４
【補正方法】変更
【補正の内容】
【０００４】
（１）本考案に係るカセットパンチ装置は、
クラフトブッキング等のため紙類や布類等のシート物に各種の装飾孔を施す雄型及び雌型を備えたパンチをカセット式に着脱自在にした装置であって、
パンチ挿入用開口部に連続形成されてパンチを装填可能とする収容空間を有するポケットを設けた本体と、本体に揺動可能に軸支されて手で握るとポケット内に装填されたパンチの雄型を押し込むように揺動するてこ式の操作レバーと、パンチをポケット内に着脱させるパンチ着脱機構とを備えたカセットパンチ装置において、
上記パンチ着脱機構は、
ポケットに装填するパンチの後部に先端部が当接されるようにポケットの奥部に配置され、且つパンチの着脱操作に応じてパンチの着脱方向に沿って進退移動可能に設けられてパンチの着脱移動を案内するイジェクトバーと、
イジェクトバーをパンチ脱出方向へ付勢するバネ部材と、
パンチ装填時には、パンチ挿入用開口部からパンチを挿入すると、イジェクトバーは、バネ部材の付勢力に抗してパンチの後部に押されて後退し、操作レバーによってパンチの雄型が押し込み可能となるパンチ装填位置でロックされ、一方、パンチ取出し時には、パンチ挿入用開口部からパンチを押し込むと、イジェクトバーは、バネ部材の付勢力に抗してパンチの後部に押されて後退してロックが解除され、続いてパンチの押し込み力を開放すると、イジェクトバーがバネ部材の付勢力によって前進してパンチの後部を押しポケットのパンチ挿入用開口部からパンチの一部を突出させるようにするイジェクトバーガイド機構とを備えたことを特徴とするものである（請求項１）。
これにより、ポケットへのパンチの着脱をいわゆるプッシュ−プッシュ式に行える。
従って、比較的軽い力での操作によってパンチの着脱を簡単に行うことができる。
（２）また、本考案に係るカセットパンチ装置は、
クラフトブッキング等のため紙類や布類等のシート物の表面に各種のエンボス模様を施す雄型及び雌型を備えたパンチをカセット式に着脱自在にした装置であって、
パンチ挿入用開口部に連続形成されてパンチを装填可能とする収容空間を有するポケットを設けた本体と、本体に揺動可能に軸支されて手で握るとポケット内に装填されたパンチの雄型を押し込むように揺動するてこ式の操作レバーと、パンチをポケット内に着脱させるパンチ着脱機構とを備えたカセットパンチ装置において、
上記パンチ着脱機構は、
ポケットに装填するパンチの後部に先端部が当接されるようにポケットの奥部に配置され、且つパンチの着脱操作に応じてパンチの着脱方向に沿って進退移動可能に設けられてパンチの着脱移動を案内するイジェクトバーと、
イジェクトバーをパンチ脱出方向へ付勢するバネ部材と、
パンチ装填時には、パンチ挿入用開口部からパンチを挿入すると、イジェクトバーは、バネ部材の付勢力に抗してパンチの後部に押されて後退し、操作レバーによってパンチの雄型が押し込み可能となるパンチ装填位置でロックされ、一方、パンチ取出し時には、パンチ挿入用開口部からパンチを押し込むと、イジェクトバーは、バネ部材の付勢力に抗してパンチの後部に押されて後退してロックが解除され、続いてパンチの押し込み力を開放すると、イジェクトバーがバネ部材の付勢力によって前進してパンチの後部を押しポケットのパンチ挿入用開口部からパンチの一部を突出させるようにするイジェクトバーガイド機構とを備えたことを特徴とするものである（請求項２）。
これにより、ポケットへのパンチの着脱をいわゆるプッシュ−プッシュ式に行える。
従って、比較的軽い力での操作によってパンチの着脱を簡単に行うことができる。
【手続補正３】
【補正対象書類名】明細書
【補正対象項目名】０００５
【補正方法】変更
【補正の内容】
【０００５】
（３）上記イジェクトバーガイド機構は、ハートカム溝と、カムフォロアとなるガイドピンとを有し、
パンチ装填時にパンチとともにイジェクトバーが押されて後退されると、ハートカム溝内のガイドピンは、イジェクトバーの前進限位置に対応する第１の位置からイジェクトバーの後退限位置に対応する第２の位置に移動し、続いてパンチの押し込み力が開放されると、イジェクトバーを後退限位置から少し前進したパンチ装填位置でロックする第３の位置に移動して係止され、一方、パンチ取出し時にパンチとともにイジェクトバーが押されると、ハートカム溝内のガイドピンは、第３の位置からイジェクトバーの後退限位置に対応する第４の位置に移動してガイドピンの係止が解除され、続いてパンチの押し込み力が開放されると、第４の位置からイジェクトバーの前進限位置に対応する第１の位置に復帰移動するように構成することができる（請求項３）。
これにより、ポケットへのパンチの着脱をいわゆるプッシュ−プッシュ式に行えるパンチ着脱機構を簡易に構成することができる。
【手続補正４】
【補正対象書類名】明細書
【補正対象項目名】０００６
【補正方法】変更
【補正の内容】
【０００６】
（４）上記イジェクトバーの先端部にはパンチの後部に設けた鉄片にマグネット吸着してパンチを保持するマグネット吸着部が設けられていてもよい（請求項４）。
これにより、パンチをポケット内に簡単且つ確実に保持することができる。
【手続補正５】
【補正対象書類名】明細書
【補正対象項目名】０００７
【補正方法】変更
【補正の内容】
【０００７】
（５）また、本考案に係るカセットパンチ装置は、
クラフトブッキング等のため紙類や布類等のシート物に各種の装飾孔を施す雄型及び雌型を備えたパンチをカセット式に着脱自在にした装置であって、パンチ挿入用開口部に連続形成されてパンチを装填可能とする収容空間を有するポケットを設けた本体と、本体に揺動可能に軸支されて手で握るとポケット内に装填されたパンチの雄型を押し込むように揺動するてこ式の操作レバーと、パンチをポケット内に着脱させるパンチ着脱機構とを備えたカセットパンチ装置において、
パンチ着脱機構は、
ポケットに装填するパンチの後部に先端部が当接されるようにポケットの奥部に配置され、且つパンチの着脱操作に応じてパンチの着脱方向に沿って進退移動可能に設けられてパンチの着脱移動を案内するイジェクトバーと、
イジェクトバーをパンチ脱出方向へ付勢するバネ部材と、
バネ部材の付勢力に抗してポケット内に装填したパンチを操作レバーによってパンチの雄型が押し込み可能となるパンチ装填位置で保持する保持手段と、
保持手段によるパンチの保持を解除するロック解除手段とを備えたことを特徴とするものである（請求項５）。
これにより、パンチをポケットに装着する際は、パンチに押されてイジェクトバーが後退し、パンチがポケット内のパンチ装填位置に達すると保持手段によってバネ部材の付勢力に抗してパンチを保持する。
一方、パンチをポケットから取出す際は、ロック解除手段を操作して保持手段によるパンチの保持が解除されると、バネ部材で付勢されたイジェクトバーによってパンチが押し出されてパンチ挿入用開口部からその一部を突出させる。
従って、パンチの装着及び取出しの操作が軽い力で非常に簡単に行える。
【手続補正６】
【補正対象書類名】明細書
【補正対象項目名】０００８
【補正方法】変更
【補正の内容】
【０００８】
（６）また、本考案に係るカセットパンチ装置は、
クラフトブッキング等のため紙類や布類等のシート物の表面に凹凸の各種のエンボス模様を施す雄型及び雌型を備えたパンチをカセット式に着脱自在にした装置であって、パンチ挿入用開口部に連続形成されてパンチを装填可能とする収容空間を有するポケットを設けた本体と、本体に揺動可能に軸支されて手で握るとポケット内に装填されたパンチの雄型を押し込むように揺動するてこ式の操作レバーと、パンチをポケット内に着脱させるパンチ着脱機構とを備えたカセットパンチ装置において、
パンチ着脱機構は、
ポケットに装填するパンチの後部に先端部が当接されるようにポケットの奥部に配置され、且つパンチの着脱操作に応じてパンチの着脱方向に沿って進退移動可能に設けられてパンチの着脱移動を案内するイジェクトバーと、
イジェクトバーをパンチ脱出方向へ付勢するバネ部材と、
バネ部材の付勢力に抗してポケット内に装填したパンチを操作レバーによってパンチの雄型が押し込み可能となるパンチ装填位置で保持する保持手段と、
保持手段によるパンチの保持を解除するロック解除手段とを備えたことを特徴とするものである（請求項６）。
これにより、パンチをポケットに装着する際は、パンチに押されてイジェクトバーが後退し、パンチがポケット内のパンチ装填位置に達すると保持手段によってバネ部材の付勢力に抗してパンチを保持する。
一方、パンチをポケットから取出す際は、ロック解除手段を操作して保持手段によるパンチの保持が解除されると、バネ部材で付勢されたイジェクトバーによってパンチが押し出されてパンチ挿入用開口部からその一部を突出させる。
従って、パンチの装着及び取出しの操作が軽い力で非常に簡単に行える。